(57)【要約】【課題】墨室から糸巻収納部内への墨汁の漏れを防止し、更には、糸巻収納部内への墨汁の漏れがあっても、その墨汁がケース外部へ漏れるのを有効に防止する。【解決手段】ケースの糸巻収納部と墨室との間の仕切壁１１２に開設された糸挿通部１１２ａに、内面が墨打ち糸３に摺接されるスリット１６ａが形成された弾性体１６と、内径が墨打ち糸３の糸径よりも適宜大径であって一端が墨室側へ突出した糸挿通管１５とを設けている。糸巻２と墨室の間で、墨打ち糸３が、弾性体１６のスリット１６ａ及び糸挿通管１５を通っている。また、糸巻収納部の底壁１１６の内面に、糸巻収納部内へ漏れた墨汁を吸収可能な墨汁吸収体１８が設けられている。【選択図】  図６
2004230494.tif 000002
【特許請求の範囲】
【請求項１】
ケースに、糸巻が回転可能に収納された糸巻収納部と、墨汁浸透部材が収納される墨室と、前記糸巻収納部と墨室との間の仕切壁に開設された糸挿通部が形成され、前記糸巻に巻回された墨打ち糸が、前記糸挿通部から前記墨室内を通って前記ケースの一端に形成された糸繰り出し口から外部へ導出される墨壷において、前記糸挿通部に、内面が前記墨打ち糸に摺接されるスリットが形成された弾性体を設けたことを特徴とする墨壷の墨汁シール構造。
【請求項２】
スリットの幅が、墨打ち糸の糸径と略同等もしくはそれ以下であることを特徴とする請求項１に記載の墨壷の墨汁シール構造。
【請求項３】
スリットが、弾性体における墨打ち糸の挿通位置から水平方向又はそれより上方の１８０度範囲のいずれかの方向へ延びることを特徴とする請求項１に記載の墨壷の墨汁シール構造。
【請求項４】
糸挿通部に、内径が墨打ち糸の糸径よりも適宜大径であって一端が墨室側へ突出した可撓性のある糸挿通管を設けたことを特徴とする請求項１に記載の墨壷の墨汁シール構造。
【請求項５】
糸巻収納部の底壁又は周壁の内面に、墨汁を吸収可能な墨汁吸収体を配置したことを特徴とする請求項１に記載の墨壷の墨汁シール構造。
【発明の詳細な説明】
【０００１】
【発明の属する技術分野】
本発明は、木工あるいは建築における墨打ち作業に使用される墨壷に関し、特にその墨室から糸巻側への墨汁の漏れを抑制する構造に関するものである。
【０００２】
【従来の技術】
建築作業者等が使用する墨壷は、ケース内に糸巻収納部及び墨室が設けられ、糸巻収納部内の糸巻に巻かれた墨打ち糸が、墨汁を沁み込ませた墨綿が充填された墨室内を通って、ケースの一端に形成された糸繰り出し口から外部へ繰り出され、墨打ち糸の先端に、この墨打ち糸を墨打ち起点に止着するためのかるこが繋着された構造を備える。この墨壷を用いた墨打ち作業においては、まず、かるこを墨打ち起点に止着してから、ケースを移動させることによって墨打ち糸を引き出すと、この墨打ち糸には、墨室内を通る過程で、墨綿との接触によって墨汁が付着するので、適当なテンションを与えた状態で張設したこの糸を、墨打ち対象面に向けて手指ではじくことによって、直線状の墨線を転写することができる。
【０００３】
この種の墨壷においては、墨室内の墨綿に沁み込ませた墨汁が、墨打ち糸の通路から糸巻収納部側へ流出し、更にこの糸巻収納部からケース外部へ漏れ出して周囲を汚損するようなことがないように、墨室と糸巻収納部間の糸通路に墨汁に対する漏れ防止手段を設けたものがある。そして、例えば下記の特許文献１及び特許文献２には、このような漏れ防止手段を設けた墨壷の典型的な従来技術が開示されている。
【０００４】
【特許文献１】
特許２６２６９６７（第２図及び第３図）
【特許文献２】
実登２５５８１１４（第２図及び第３図）
【０００５】
【発明が解決しようとする課題】
従来の技術において、特許文献１に記載された墨壷によれば、糸巻収納部と墨室との間に設けた柔軟体に、墨打ち糸と略同径の墨漏れ防止小孔を形成し、墨打ち糸が、この墨漏れ防止小孔を通るようにすることによって、墨室側からの墨汁の漏れを防止しているものであるが、墨漏れ防止小孔が小径であるため、墨綿等の繊維が墨打ち糸に毛玉状に絡み付いたような場合、この毛玉が墨漏れ防止小孔に引っ掛かって、糸巻の内蔵バネによる墨打ち糸の巻き取りが阻害されるといった不具合を生じるおそれがある。また、墨打ち糸が切れてしまったような場合、糸通し具を用いて再びこの墨打ち糸を墨漏れ防止小孔に通して復元することが困難になる問題がある。更に、墨漏れ防止小孔が、墨打ち糸との摺接により削られて拡径されると墨漏れ防止性能が損なわれ、あるいは墨打ち糸に、墨漏れ防止小孔との摺接による傷み（ほつれ等）が発生しやすいといった問題がある。
【０００６】
一方、特許文献２に記載された墨壷によれば、墨室と糸巻収納部の間に開設した糸挿通孔の糸巻収納部側開口の下側に、糸挿通孔を通る墨打ち糸を伝わって糸巻収納部側へ漏れ出ようとする墨汁を吸い取る吸い取り綿を配置したものであるが、この吸い取り綿は、墨打ち糸に付着した墨汁が糸巻の回転運動による遠心力で飛散して糸巻収納部内に流入してしまった墨汁を吸い取ることはできず、すなわち、糸巻収納部にいったん流入した墨汁の、ケース外部への漏れを防止することはできなかった。
【０００７】
本発明は、上記のような問題に鑑みてなされたもので、その主な技術的課題は、墨室から糸巻収納部への墨汁の漏れを有効に防止可能とすることにある。
【０００８】
また、他の技術的課題は、墨室から糸巻収納部への墨汁の漏れがあっても、その墨汁がケース外部へ漏れるのを有効に防止可能とすることにある。
【０００９】
【課題を解決するための手段】
上述した技術的課題を有効に解決するための手段として、請求項１の発明に係る墨壷の墨汁シール構造は、ケースに、糸巻が回転可能に収納された糸巻収納部と、墨汁浸透部材が収納される墨室と、前記糸巻収納部と墨室との間の仕切壁に開設された糸挿通部が形成され、前記糸巻に巻回された墨打ち糸が、前記糸挿通部から前記墨室内を通って前記ケースの一端に形成された糸繰り出し口から外部へ導出される墨壷において、前記糸挿通部に、内面が前記墨打ち糸に摺接されるスリットが形成された弾性体を設けたものである。
【００１０】
また、請求項２の発明に係る墨壷の墨汁シール構造は、請求項１に記載のスリットの幅を、墨打ち糸の糸径と略同等もしくはそれ以下としたものである。
【００１１】
また、請求項３の発明に係る墨壷の墨汁シール構造は、請求項１に記載のスリットが、弾性体における墨打ち糸の挿通位置から水平方向又はそれより上方の１８０度範囲のいずれかの方向へ延びるものである。
【００１２】
また、請求項４の発明に係る墨壷の墨汁シール構造は、請求項１に記載の糸挿通部に、内径が墨打ち糸の糸径よりも適宜大径であって一端が墨室側へ突出した可撓性のある糸挿通管を設けたものである。
【００１３】
また、請求項５の発明に係る墨壷の墨汁シール構造は、請求項１に記載の構成において、糸巻収納部の底壁又は周壁の内面に、墨汁を吸収可能な墨汁吸収体を配置したものである。
【００１４】
【発明の実施の形態】
図１は本発明の好ましい第一の形態を示す墨壷の平面図、図２は底面図、図３は正面図、図４は一部断面を表す背面図、図５は図１のＶ−Ｖ線に沿って切断した断面図、図６は図５の一部を拡大した部分断面図、図７及び図８は要部斜視図である。図１、図２及び図５に示されるように、本形態の墨壷は、ケース１と、このケース１に回転自在に収納された糸巻２と、糸巻２に巻回された墨打ち糸３と、糸巻２に設けられたばねチャージ部４と、ケース１の墨室１１１に収納された墨汁浸透部材５と、墨打ち糸３の先端に繋着されたかるこ６とを備える。
【００１５】
ケース１は、図１及び図２に示されるように、前方が筒状の墨室形成部１１Ａ、後方が皿状の糸巻収納部１１Ｂとなっているケース本体１１と、墨室形成部１１Ａの先端に接合されたトップ部材１２と、墨室形成部１１Ａの上部に設けられた蓋１３と、皿状をなす糸巻収納部１１Ｂの上部開口に着脱自在に設けられたリング蓋１４とからなる。
【００１６】
ケース本体１１は合成樹脂材で成形されたものであって、その墨室形成部１１Ａ内には、図５に示されるように、墨汁浸透部材５が充填される墨室１１１が形成されており、図６に示されるように、墨室１１１と糸巻収納部１１Ｂとの間の仕切壁１１２に開設された円形の糸挿通部１１２ａには、糸挿通管１５と、それよりも糸巻収納部１１Ｂ側（以下、後方又は後部という）に位置する弾性体１６が装着され、更に糸挿通部１１２ａの後部開口には、一対の金属製ガイドピン１７が固定されている。
【００１７】
糸挿通管１５は可撓性を有するものであって、軟質合成樹脂、例えば塩化ビニルからなり、一端外周面が、仕切壁１１２の糸挿通部１１２ａに密嵌状態に固定されると共に、他端が墨室１１１内へ突出しており、図７の斜視図に一層明確に示されるように、内周に、孔径φｂが墨打ち糸３の糸径φａよりも僅かに大径の糸挿通孔１５ａが開設されている。
【００１８】
弾性体１６は、厚さｔが１．５ｍｍ程度の円盤状のゴム材からなり、厚さ方向へ貫通すると共に中心から半径方向へ延びるスリット１６ａを有する。スリット１６ａの幅Ｗは糸径φａと略同等（実寸で０．５ｍｍ程度）であり、図６に示されるように、弾性体１６は、スリット１６ａが上方へ延びた状態で、仕切壁１１２の糸挿通部１１２ａに密嵌されている。
【００１９】
ガイドピン１７は、例えばＳＵＳ材（ステンレス鋼）等の金属材料からなるものであって、墨打ち糸３が通ることのできる適当な間隔Ｌをもって互いに平行に固定されている。そしてこのガイドピン１７は、合成樹脂からなるケース本体１１の仕切壁１１２に直接墨打ち糸３が接触しないように、かつ弾性体１６のスリット１６ａに墨打ち糸３がまっすぐに挿通されるように、墨打ち糸３を案内しているものである。
【００２０】
すなわち、糸巻２から繰り出される墨打ち糸３は、図６及び図７に示されるように、一対のガイドピン１７の間から、弾性体１６に形成したスリット１６ａ及び糸挿通管１５の糸挿通孔１５ａを通って、図５に示されるように墨室１１１内の墨汁浸透部材５との接触により墨汁を付着され、トップ部材１２の糸繰り出し口１２ａからケース１の外部へ導出されるようになっている。
【００２１】
トップ部材１２は耐摩耗性樹脂材で成形されたものであって、図５に示されるように、ケース本体１１における墨室形成部１１Ａの先端内周にパッキン１２ｄを介して挿入・固定され、内周に糸繰り出し口１２ａが形成されている。糸繰り出し口１２ａは、墨室１１１側の内端が墨打ち糸３とほぼ同径の細い円孔状をなすことによって、墨室１１１内の墨汁の流出を防止しており、その外側の開口縁である糸繰り出し端部１２ｂが、図３に示されるように扁平な漏斗状に広がって形成されている。
【００２２】
蓋１３は、ケース１の墨室形成部１１Ａの上部壁面に開口した墨室１１１の開口部を開閉するものであって、合成樹脂材で成形されている。蓋１３における糸繰り出し端部１２ｂ側の端部には結合軸１３１が設けられており、図１及び図５に示されるように、ケース１のトップ部材１２に形成された一対の結合孔１２ｃに挿入されている。結合孔１２ｃは前後方向へ細長く延びる長孔状に形成されており、このため、蓋１３は、結合孔１２ｃ内の結合軸１３１の軸心の周りに円運動可能であると共に、前後方向へ往復移動可能となっている。
【００２３】
蓋１３における結合軸１３１と反対側の自由端部には、被係止突起１３２が形成され、ケース１の墨室形成部１１Ａの上面における糸巻収納部１１Ｂ側に偏在した位置には、係止環１１３が形成されている。すなわち、蓋１３を結合孔１２ｃによる可動範囲における前進位置で閉塞させた状態で後方へ移動させることによって、被係止突起１３２が係止環１１３に挿入され、閉塞状態に固定されるようになっている。また、この閉塞状態では、蓋１３の裏面外周に設けたパッキンによって、墨室１１１の開口部が密閉される。
【００２４】
蓋１３の中央部に開設された円形孔には、ゴム材からなるキャップ状の弾性封口体１３５が密嵌されており、この弾性封口体１３５の内面には合成樹脂材からなる押圧部材１３６が取り付けられている。そして、蓋１３を閉じた状態で弾性封口体１３５を手指で押して凹ませることによって、押圧部材１３６が下方変位して、墨打ち糸３と墨汁浸透部材５とを強制的に押し付けるので、墨汁浸透部材５に浸透保持された墨汁の量がある程度少なくなった場合でも、墨打ち糸３に墨汁を十分に付着させることができる。
【００２５】
リング蓋１４は、糸巻２をケース本体１１における糸巻収納部１１Ｂ内に回転自在に保持するものであって、図１、図２、図４及び図５に示されるように、後端に形成された掛合部１４ａと、図２、図３及び図４に示されるように、墨室形成部１１Ａの左右両側と対応する位置に形成された一対のスナップ爪１４ｂとを有する。そして、このリング蓋１４は、掛合部１４ａを、糸巻収納部１１Ｂの後端に突設された被掛合部１１４と掛合すると共に、一対のスナップ爪１４ｂを、糸巻収納部１１Ｂの外側面に形成された一対の被掛合凹部１１５に、それぞれスナップ掛合させることによって、糸巻収納部１１Ｂの上部に固定される。また、糸巻収納部１１Ｂとリング蓋１４との衝合面間には、ゴム材からなるパッキン１１Ｃが介在されている。
【００２６】
糸巻２は、図５に示されるように、外周に墨打ち糸３を巻回する糸巻本体２１と、この糸巻本体２１の内周のばねケース２１ａ内に収納されて糸巻本体２１を墨打ち糸３の巻き取り方向に付勢する渦巻きばね２２と、糸巻本体２１の軸方向一側に形成されリング蓋１４の内周から外部へ露出した巻き取りハンドル２３とからなり、巻き取りハンドル２３の外側面には、手指で回転操作するための複数の指掛け凹部２３ａが形成されている。これらの部材は合成樹脂材で成形されており、糸巻２は、リング蓋１４をケース本体１１の糸巻収納部１１Ｂから取り外すことによって、この糸巻収納部１１Ｂ内から取り出すことができる。
【００２７】
図５及び図６に示されるように、糸巻２のばねケース２１ａの下側には、墨汁吸収体１８が配置されている。この墨汁吸収体１８は、墨汁に対する優れた吸収機能を有する綿あるいはフェルト等からなるものであって、図８の斜視図に示されるように扁平な環状に形成されており、ケース本体１１における糸巻収納部１１Ｂの底壁１１６の内面に、接着等によって固定されている。
【００２８】
ばねチャージ部４は、図５に示されるように、糸巻２の糸巻本体２１の内周に同心的かつ相対回転可能な状態に組み込まれたばね芯４１と、ケース１の糸巻収納部１１Ｂの下面にばね芯４１と同心的に配置されたチャージハンドル４２と、糸巻収納部１１Ｂの底壁１１６の軸孔に挿通されたチャージハンドル４２の中心軸にビス４３で固定されると共にばね芯４１のクラッチ盤４１ａに対してばねチャージ方向にのみ係合するクラッチ部材４４とを備える。
【００２９】
チャージハンドル４２の外周近傍における円周方向１箇所には、係止ピン４５が軸方向移動自在かつ抜け止めされた状態で挿通されており、この係止ピン４５は、コイルスプリング４６によって、常時没入方向へ向けて付勢されている。一方、糸巻収納部１１Ｂの底壁１１６の下面には、チャージハンドル４２をその中心軸の周りに回転させた時の、係止ピン４５の軌跡と対応する円弧状に延び、糸巻２の巻き取り方向と反対の方向、言い換えれば渦巻きばね２２を弛緩させる方向の端部へ向かって漸次深くなるスパイラル面（不図示）が形成されている。
【００３０】
ケース本体１１における墨室１１１に充填された墨汁浸透部材５は、綿あるいはフェルト等を墨汁の浸透可能な保護シートでくるんだ墨綿と、その上に配置されたスポンジ等からなり、十分な量の墨汁を浸透保持することができる。そして、糸挿通管１５とトップ部材１２の糸繰り出し口１２ａとの間で墨室１１１内を通る墨打ち糸３は、前記墨綿とスポンジ等との間に挟まれた状態となっている。
【００３１】
かるこ６は、図１、図２及び図５に示されるように、合成樹脂材で成形された柄６１と、この柄６１にインサート成形によって基部が埋設状態に固定された金属製の刺着針６２と、この刺着針６２の外周を包囲する合成樹脂製の保護材６３とからなる。柄６１は扁平な形状に形成されており、刺着針６２側の端部及び保護材６３は、墨打ち糸３を完全に糸巻本体２１に巻き取った状態において、トップ部材１２の漏斗状の糸繰り出し口１２ａに挿入された状態に掛止されるようになっている。また、刺着針６２はその尖端部のみが保護材６３の先端から突出している。
【００３２】
図２に示されるように、ケース本体１１の糸巻収納部１１Ｂの下面には、チャージハンドル４２の外周側に位置して円弧状に延びる係止溝１１７が形成されており、この係止溝１１７には、細長い糸通し具７が、この溝１１７に倣った円弧状に湾曲させた状態で係止されている。糸通し具７は、先端７ａに糸掛止部（不図示）を有し、トップ部材１２の糸繰り出し口１２ａや、糸挿通管１５の糸挿通孔１５ａ及び弾性体１６のスリット１６ａを通過させることの可能な細長い形状に形成されている。
【００３３】
上述の構成を有する墨壷を用いて、墨打ち作業を行う場合は、まず、かるこ６の刺着針６２を墨打ち対象面（不図示）における墨打ちの一方の起点に刺着してから、ケース１を他方の起点へ向けて移動させることによって、糸巻２の糸巻本体２１に巻かれた墨打ち糸３を、ケース１の移動距離分だけ繰り出す。墨打ち糸３には、墨室１１１内を通って繰り出される過程で、墨汁を染み込ませた墨汁浸透部材５に接触することによって、墨汁が付着する。ここで、ばねチャージ部４は、一種のワンウェイクラッチを構成するものであるため、墨打ち糸３の繰り出しに伴って、糸巻本体２１が墨打ち糸３の繰り出し方向へ回転されるのに対し、同方向へのばね芯４１の回転が阻止され、渦巻きばね２２がばね芯４１に巻き込まれてチャージ（蓄勢）される。
【００３４】
ケース１を墨打ちの他方の起点まで移動させたら、このケース１のトップ部材１２の糸繰り出し端部１２ｂで墨打ち糸３を押止することによって、墨打ち糸３をかるこ６との間に張設する。そして、張設した墨打ち糸３に適当なテンションを与え、これを墨打ち対象面に向けて指ではじいて打ち付けることによって、直線状の墨線を転写することができる。
【００３５】
墨打ち作業終了後は、かるこ６を墨打ち対象面から引き抜けば、墨打ち糸３の繰り出し過程でチャージされた渦巻きばね２２によって、糸巻２が巻き取り方向に回転するため、墨打ち糸３は、かるこ６がトップ部材１２の糸繰り出し口１２ａに半収納状態に係止されるまで、糸巻本体２１に自動的に巻き取られる。
【００３６】
ここで、墨室１１１内の墨汁浸透部材５に浸透している墨汁の量が比較的多い場合、ケース１を、糸巻収納部１１Ｂが下側となるように傾斜させると、墨汁は墨室１１１内を仕切壁１１２側へ移動する。しかし、墨打ち糸３が通っている糸挿通管１５は、墨室１１１内への突出状態で仕切壁１１２に密嵌されているので、糸挿通管１５の周囲に墨汁溜まりができ、糸挿通管１５に形成された糸挿通孔１５ａへの墨汁の流入が起こりにくくなっている。
【００３７】
また、墨打ち糸３を伝わって糸挿通管１５の糸挿通孔１５ａ内へ侵入して来た墨汁は、ゴム製の弾性体１６によって、糸巻収納部１１Ｂ側への漏出を阻止される。詳しくは、弾性体１６に形成されたスリット１６ａは、これを通過する墨打ち糸３の外周を完全に密閉するものではないが、スリット１６ａの幅Ｗは糸径φａと略同等であり、墨打ち糸３の挿通位置から上方へ延びているので、墨打ち糸３を伝わって来る墨汁をしごき取ることができる。しごき取られた墨汁は、糸挿通孔１５ａから墨室１１１内へ戻される。
【００３８】
糸挿通管１５の糸挿通孔１５ａは、孔径φｂが墨打ち糸３の糸径φａよりも大径であり、弾性体１６の糸通し部はスリット１６ａからなるため、墨打ち糸３に墨汁浸透部材５における墨綿等の繊維が毛玉状に絡み付いたような場合でも、この毛玉は糸挿通孔１５ａ及びスリット１６ａを容易に通過することができる。このため、渦巻きばね２２の付勢力による墨打ち糸の巻き取りが阻害されるといった不具合を有効に防止できる。
【００３９】
また、例えば渦巻きばね２２の付勢力による糸巻２への墨打ち糸３の自動巻き取り過程で、弾性体１６のスリット１６ａによって完全にしごき取られずに、墨打ち糸３と共に糸巻収納部１１Ｂへ僅かに侵入した墨汁は、糸巻２の回転に伴う遠心力によって、図５に示される糸巻収納部１１Ｂの周壁１１８の内面へ飛散して底壁１１６側へ流れ落ち、ここに配置された綿あるいはフェルト等からなる墨汁吸収体１８に吸い取られる。このため、墨汁が糸巻収納部１１Ｂへ侵入しても、この漏洩墨汁が、チャージハンドル４２の中心軸が挿通された底壁１１６の軸孔部等を介して外部へ漏出するのを防止することができる。
【００４０】
墨室１１１内の墨汁浸透部材５に浸透保持された墨汁の量が、墨打ち作業の繰り返しや蒸発等によってある程度少なくなった場合は、墨打ち糸３を繰り出す際に、ケース１を掴んでいる手指で弾性封口体１３５を押圧すれば、この弾性封口体１３５に結合された押圧部材１３６が、墨室１１１内を通る墨打ち糸３と墨汁浸透部材５とを強制的に押し付けるので、墨打ち糸３に墨汁を十分に付着させることができる。このとき、墨室１１１内では墨打ち糸３が墨汁浸透部材５を介して強制的に下方へ押し付けられ、糸挿通管１５の糸挿通孔１５ａに摺接するが、塩化ビニル等の軟質合成樹脂からなる糸挿通管１５は、墨打ち糸３の変位に伴って曲るため、摺接による糸挿通孔１５ａの削り取りが緩和され、あるいは摺接による墨打ち糸３のほつれ等の発生が防止される。また、糸挿通孔１５ａが墨打ち糸３に削られて孔径が拡大したとしても、墨汁のシールは弾性体１６によって行われているので、シール性の低下は来さない。
【００４１】
また、例えば墨打ち糸３が切れてしまった場合は、図２に示される糸通し具７を係止溝１１７から取り外し、渦巻きばね２２の付勢力によって糸巻本体２１に巻き取られた墨打ち糸３の端部を、糸通し具７の先端７ａの糸掛止部に掛止して、ガイドピン１７の間、シール板１６のスリット、糸挿通管１５、墨室１１１、及び糸繰り出し口１２ａを通してケース１の外部へ導出させ、再びかるこ６に結び付ける。そして、先に説明したように、糸挿通管１５の糸挿通孔１５ａは、孔径φｂが墨打ち糸３の糸径φａよりも大径であり、弾性体１６の糸通し部はスリット１６ａからなるため、糸通し具７を通しやすく、したがって糸通し具７を用いた糸通し作業を容易に行うことができる。
【００４２】
なお、上述の形態では、弾性体１６に形成されたスリット１６ａが、墨打ち糸３が挿通される中心位置から上方へ延びているが、墨打ち糸３の挿通位置から水平方向又はそれよりも上方の１８０度の角度範囲、すなわち図７に示される角度θの範囲におけるいずれかの方向へ延びるものであれば、図示の形態とほぼ同様のシール機能を実現することができる。
【００４３】
次に、図９は本発明の好ましい第二の形態を示す墨壷の断面図である。この墨壷は、手動巻き取り方式の墨壷について、本発明に係るシール構造を適用したものである。
【００４４】
すなわち、図９に示される墨壷は、糸巻２が、墨打ち糸３を巻回する糸巻本体２１と、この糸巻本体２１の軸方向一端に一体的に設けられてリング蓋１４の内周から外部へ露出した端盤２４と、ケース本体１１の糸巻収納部１１Ｂにおける底壁１１６の内面（上面）に固定されて糸巻本体２１を回転可能に支持する軸受ユニット２５とからなる。これらの部材は合成樹脂材で成形されており、糸巻２は、リング蓋１４をケース本体１１の糸巻収納部１１Ｂから取り外すことによって、この糸巻収納部１１Ｂ内から取り出すことができる。
【００４５】
糸巻２の端盤２４には、糸巻２を手指で回転操作するためハンドル８が取り付けられている。このハンドル８は、糸巻２の端盤２４の上面に形成された収納凹部に、端盤２４の外周寄りに位置して糸巻２の回転軸心と略直交する方向に架設された軸８１と、端盤２２に前記軸８１を介してその軸心の周りに円運動可能に取り付けられたアーム８２と、このアーム８２における操作端部の一側面に対して垂直に設けられたピン８３と、このピン８３に回転自在に外挿された円筒状のツマミ部材８４とからなる。
【００４６】
ハンドル８のアーム８２における操作端部と反対側の端部には、凹凸形状の被係止部８２ａが形成されている。一方、糸巻２の端盤２４が遊嵌されたリング蓋１４の上部開口内周面には、全周にわたって係止部１４ｃが形成されている。この係止部１４ｃは、ハンドル８の被係止部８２ａと対応するピッチで形成された多数の凹凸からなり、ハンドル８を、軸８１を中心として図示の状態に倒すことによって、アーム８２の被係止部８２ａが外周側を向くように変位し、リング蓋１４における円周方向いずれかの位置の係止部１４ｃと凹凸係合されるようになっている。すなわち、ハンドル８は、糸巻２を手動回転させるためのハンドル本来の機能と、糸巻２の回転をロックする機能とを併有するものである。
【００４７】
その他の部分の構成は、糸挿通管１５及び弾性体１６による本発明の墨汁シール構造を含め、先に説明した第一の形態による自動巻き取り式の墨壷と同様である。
【００４８】
上述の構成を有する墨壷を用いて、墨打ち作業を行う場合は、まず、かるこ６の刺着針６２を墨打ち対象面（不図示）における墨打ちの一方の起点に刺着し、ハンドル８を端盤２４の外周側まで引き起こすことによって、その被係止部８２ａと、リング蓋１４の係止部１４ｃとの凹凸係合による糸巻２のロック状態を解除してから、ケース１を他方の起点へ向けて移動させることによって、糸巻２を回転させながら、その糸巻本体２１に巻かれた墨打ち糸３を、ケース１の移動距離分だけ繰り出す。墨打ち糸３には、墨室１１１内を通って繰り出される過程で、墨汁浸透部材５に接触することによって墨汁が付着する。
【００４９】
ケース１を墨打ちの他方の起点まで移動させたら、ハンドル８を図９に示されるように倒すことによって、そのアーム８２の被係止部８２ａを、リング蓋１４の円周方向いずれかの係止部１４ｃに凹凸係合させて、糸巻２の回転をロックし、ケース１を適当に引くことによってかるこ６との間で墨打ち糸３にテンションを与え、ケース１のトップ部材１２の糸繰り出し端部１２ｂで墨打ち糸３を墨打ち対象面に押止する。そして、墨打ち糸３を墨打ち対象面に向けて指ではじいて打ち付けることによって、直線状の墨線を転写することができる。
【００５０】
墨打ち作業終了後は、かるこ６を墨打ち対象面から引き抜き、ハンドル８を引き起こすことによって、糸巻２のロック状態を解除し、ハンドル８のツマミ部材８４を手指で摘んで手動回転させることにより、糸巻２を巻き取り方向へ回転させる。これによって、墨打ち糸３は、かるこ６がトップ部材１２の糸繰り出し口１２ａに半収納状態に係止されるまで、糸巻本体２１に巻き取られる。そして、ハンドル８を図９に示されるように倒すことによって、被係止部８２ａを係止部１４ｃに凹凸係合させて、糸巻２の回転をロックする。
【００５１】
この形態においても、先の第一の形態と同様の墨汁シール構造を有するため、墨室１１１から糸挿通管１５の糸挿通孔（図６及び図７における１５ａ）への墨汁の流入が起こりにくく、墨打ち糸３を伝わって糸挿通管１５の糸挿通孔１５ａ内へ侵入して来た墨汁は、弾性体１６のスリット（図６及び図７における１６ａ）によって、糸巻収納部１１Ｂ側への漏出を阻止される。そして、墨打ち糸３に繊維が毛玉状によって、墨打ち糸３の繰り出しや巻き取りが阻害されることはなく、糸巻収納部１１Ｂへ僅かに侵入した墨汁は、底壁１１６側へ流れ落ち、墨汁吸収体１８に吸い取られる。
【００５２】
【発明の効果】
請求項１の発明に係る墨壷の墨汁シール構造によれば、ケースの糸巻収納部と墨室との間の仕切壁に開設された糸挿通部に、墨打ち糸を通すスリットが形成された弾性体を設け、墨打ち糸と共に流入する墨汁を、弾性体のスリットでしごき取るようになっているため、糸巻収納部側への墨汁の漏れを有効に防止することができる。また、墨打ち糸に絡み付いた毛玉等による糸巻き取りの阻害も防止され、墨打ち糸が切れたような場合の糸通し具等による復元作業も容易になる。
【００５３】
請求項２の発明に係る墨壷の墨汁シール構造によれば、請求項１に記載された弾性体のスリットの幅を、墨打ち糸の糸径と略同等もしくはそれ以下としたことによって、墨打ち糸を伝わって来る墨汁をしごき取ることによる有効なシール機能を奏することができる。
【００５４】
請求項３の発明に係る墨壷の墨汁シール構造によれば、請求項１に記載のスリットが、弾性体における墨打ち糸の挿通位置から水平方向又はそれより上方の１８０度範囲のいずれかの方向へ延びるため、墨打ち糸の下側を伝わって来る墨汁に対する有効なシール機能を奏することができる。
【００５５】
請求項４の発明に係る墨壷の墨汁シール構造によれば、請求項１の構成に加え、ケースの糸巻収納部と墨室との間の仕切壁に開設された糸挿通部に、糸挿通管が墨室側へ突出した状態で設けられているため、墨室内の墨汁が糸挿通管の糸挿通孔へ流入しにくく、しかも、糸挿通管は可撓性を有するため、例えば糸押さえで墨打ち糸を押圧しながら引き出した場合でも、墨打ち糸の変位に伴って糸挿通管が曲がるので、墨打ち糸との摺接による糸挿通孔の削り取りが緩和されると共に、墨打ち糸のほつれや損傷等の発生も防止される。また、糸挿通管の内径は、墨打ち糸の糸径よりも適宜大径であるため、墨打ち糸が切れたような場合の、請求項１による復元作業の容易性も阻害されない。
【００５６】
請求項５の発明に係る墨壷の墨汁シール構造によれば、請求項１の構成による効果に加え、糸巻収納部内へ漏れた墨汁を、この糸巻収納部の底壁又は周壁の内面に配置した墨汁吸収体に吸い取るようにしたため、糸巻収納部から外部への墨汁の漏れを確実に防止することができる。
【図面の簡単な説明】
【図１】本発明に係る墨汁シール構造を適用した好ましい第一の形態を示す墨壷の平面図である。
【図２】上記墨壷の底面図である。
【図３】上記墨壷の正面図である。
【図４】上記墨壷の一部断面を表す背面図である。
【図５】図１のＶ−Ｖ線に沿って切断した断面図である。
【図６】図５の一部を拡大した部分断面図である。
【図７】図５及び図６における糸挿通管１５、弾性体１６及びガイドピン１７の斜視図である。
【図８】図５及び図６における墨汁吸収体の斜視図である。
【図９】本発明に係る墨汁シール構造を適用した好ましい第二の形態を示す墨壷の平面図である。
【符号の説明】
１  ケース
１１  ケース本体
１１Ａ  墨室形成部
１１Ｂ  糸巻収納部
１１１  墨室
１１２  仕切壁
１１２ａ  糸挿通部
１１６  底壁
１２  トップ部材
１２ａ  糸繰り出し口
１５  糸挿通管
１５ａ  糸挿通孔
１６  弾性体
１６ａ  スリット
１７  ガイドピン
１８  墨汁吸収体
２  糸巻
３  墨打ち糸
５  墨汁浸透部材
【図１】
2004230494.tif 000003
【図２】
2004230494.tif 000004
【図３】
2004230494.tif 000005
【図４】
2004230494.tif 000006
【図５】
2004230494.tif 000007
【図６】
2004230494.tif 000008
【図７】
2004230494.tif 000009
【図８】
2004230494.tif 000010
【図９】
2004230494.tif 000011
【手続補正書】
【提出日】平成15年2月26日(2003.2.26)
【手続補正１】
【補正対象書類名】図面
【補正対象項目名】全図
【補正方法】変更
【補正の内容】
【図１】
2004230494.tif 000012
【図２】
2004230494.tif 000013
【図３】
2004230494.tif 000014
【図４】
2004230494.tif 000015
【図５】
2004230494.tif 000016
【図６】
2004230494.tif 000017
【図７】
2004230494.tif 000018
【図８】
2004230494.tif 000019
【図９】
2004230494.tif 000020